(57)【要約】ドアまたはドア・フレームの縁部に凹状に設置される彫込み錠。本発明の様々な特徴には、（a）ピボット運動できるようにボルト組立体上に取り付けられたデッドラッチ部材、（b）駆動シャフト（およびハブ）を時計回りまたは反時計回りに回転させてボルトを引き込めること、（c）個別に作動させられるキックオフ部材と相互作用するボルト組立体を含む組立体に機械的に連結されたロック手段によって、(d)駆動シャフト（およびハブ）を回転できないようにロックすることができ、したがって、ボルトの引き込み時に、キックオフ部材の位置に応じて、ハブが回転できないようにロックされること、（e）分離されたキー・シリンダ・カムおよびハブのそれぞれによってボルトを引き込めることが含まれる。
2004521214.tif 000002
【特許請求の範囲】
【請求項１】
彫込み錠であって、
錠ハウジングと、
ハウジングに対して作動方向に沿って伸長位置と引込み位置との間を移動するようになっているボルト組立体と、
ボルト組立体が伸長位置から引込み位置まで移動するのを妨げるデッドラッチ位置と、ボルト組立体が伸長位置から引込み位置まで移動するのを可能にする閉位置との間をピボット運動するようになっているデッドラッチ部材とを含み、
デッドラッチ部材が、ボルト組立体と一緒に移動できるようにホスト組立体上にピボット運動可能に取り付けられ、かつデッドラッチ位置と閉位置との間を作動方向に垂直方向にピボット運動するようになっている彫込み錠。
【請求項２】
デッドラッチ部材は、デッドラッチ位置に偏らされたばねである、請求項1記載の錠。
【請求項３】
ボルト組立体は好ましくは、伸長位置に偏らされたばねである、請求項1または2記載の錠。
【請求項４】
錠ハウジングは、プロチュバランスを有し、デッドラッチ部材は、閉位置のときは、ボルト組立体と一緒にプロチュバランスを越えた位置まで移動するようになっており、デッドラッチ位置のときは、ボルト組立体と一緒に移動してプロチュバランスに当接するようになっている、請求項1、2、または3記載の錠。
【請求項５】
ボルト組立体は、一次ボルトおよび補助ボルトを含み、デッドラッチ部材は、一次ボルトと補助ボルトとの間の相対的な移動によって閉位置とデッドラッチ位置との間を駆動される、請求項1〜4のいずれか一項記載の錠。
【請求項６】
ボルト組立体は、一次ボルトが回転可能に取り付けられ、デッドラッチ部材がピボット運動可能に取り付けられ、補助ボルトが滑り可能に取り付けられたボルト・キャリアも含む、請求項5記載の錠。
【請求項７】
デッドラッチ部材は、補助ボルトに当接するようになっている第1のプロチュバランスを含み、補助ボルトが一次ボルトに対して滑り可能に移動すると、デッドラッチ部材がピボット運動する、請求項6記載の錠。
【請求項８】
ボルト組立体は、一次ボルトが回転可能に取り付けられ、デッドラッチ部材がピボット運動可能に取り付けられ、補助ボルト組立体が滑り可能に取り付けられたボルト・キャリアも含む、請求項5記載の錠。
【請求項９】
デッドラッチ部材は、補助ボルト組立体に当接するようになっているプロチュバランスを含み、補助ボルト組立体が一次ボルトキャリアに対して滑り可能に移動すると、デッドラッチ部材がピボット運動する、請求項8記載の錠。
【請求項１０】
補助ボルト組立体は、補助ボルトおよび補助ボルト・キャリアを含む、請求項9記載の錠。
【請求項１１】
錠は、ハンドルまたはノブによって軸の周りを駆動されるようになっている駆動シャフトと、駆動シャフトの回転に応答してピボット運動するようになっている部材も含み、この部材の最初のピボット運動によって、デッドラッチ部材が閉位置までピボット運動し、アームがさらにピボット運動することによって、ボルト組立体が引込み位置まで滑り移動する、請求項1〜10のいずれか一項記載の錠。
【請求項１２】
彫込み錠であって、
錠ハウジングと、
ハンドルまたはノブによって軸の周りを回転駆動されるようになっている駆動シャフトと、
シャフトと一緒に第1の位置から第2の時計回り位置または第3の反時計回り位置の方へ回転できるようにシャフト上に取り付けられた、間隔を置いて配置された一対のプロチュバランスを有するハブと、
ハウジングに対して移動できるようになっており、移動時に、ボルト引込み組立体を移動させるようになっている一対の構造および係合面を有する駆動手段とを含み、
ハブを時計回りに第2の位置に移動させると、一方のプロチュバランスが一方の構造に当接し、駆動部材を第1の方向に移動させ、ハブを反時計回りに第3の位置に移動させると、他方のプロチュバランスが他方の構造に当接し、やはり駆動部材を第1の方向に移動させる彫込み錠。
【請求項１３】
駆動手段は、ハウジングに対して滑り可能に移動できるように取り付けられている、請求項12記載の錠。
【請求項１４】
駆動手段は、ハウジングに対してピボット運動できるように取り付けられており、ボルト引込み組立体を組み込んでいる、請求項12記載の錠。
【請求項１５】
ボルト引込み組立体は、ハンドルまたはノブをどちらの方向（時計回りまたは反時計回り）に回転させるかにかかわらずボルトを引き込むように移動させられる、請求項12、13、または14記載の錠。
【請求項１６】
駆動手段は、第1の方向と逆の第2の方向に偏らされたばねであり、またハブを第1の位置に偏らせる、請求項12〜15のいずれか一項記載の錠。
【請求項１７】
錠は、一対の駆動シャフトと、各々が一方の駆動シャフト上に取り付けられた一対のハブとを含み、駆動手段は、2対の構造を含み、各構造対は、ハブが第1の位置に来たときに各プロチュバランス対に係合するようになっている、請求項12〜16のいずれか一項記載の錠。
【請求項１８】
ボルト引込み組立体は、ピボット運動可能なラッチ・アームを含み、駆動部材係合面は、ラッチ・アーム上に設けられた歯車部に係合するようになっている歯車ラックである、請求項12〜17のいずれか一項記載の錠。
【請求項１９】
ボルト引込み組立体は、錠ハウジングにピボット運動可能に取り付けられたアームである、請求項12〜17のいずれか一項記載の錠。
【請求項２０】
彫込み錠であって、
錠ハウジングと、
ハンドルまたはノブによって軸の周りを回転駆動されるようになっている駆動シャフトと、
シャフトと一緒に回転できるようにシャフト上に取り付けられ、プロチュバランスを有するハブと、
くぼみを有し、ハウジングに対して、プロチュバランスがくぼみ内に受け入れられ、したがって、ハブが回転するのが妨げられる第1の位置と、プロチュバランスがくぼみから離れ、したがってハブが回転できる第2の位置との間を滑り可能に移動できるようになっているハブ回転ロック手段と、
シリンダ・カムの回転に応答してハウジングに対して滑り可能に移動できるようになっているロック装置と、
ハブ回転ロック手段とロック装置が一緒にハウジングに対して滑り可能に移動できるように連結される係合位置と、ハブ回転ロック手段とロック装置が一緒にハウジングに対して滑り可能に移動することができなくなる係合解除位置とに設定することができる係合手段とを含み、
ハブ・ロック手段が第2の位置にあり、該係合手段が該係合位置に設定されると、シリンダ・カムが第1の方向に回転することによって、ロック装置とハブ回転ロック手段が滑り、したがって、プロチュバランスがくぼみに受け入れられ、ハブが回転できなくなり、
ハブ・ロック手段が第2の位置にあり、該係合手段が係合解除位置に設定されると、シリンダ・カムが第1の方向に回転することによって、ロック装置のみが滑り、したがって、プロチュバランスがくぼみから離れたままになり、ハブが回転することができる彫込み錠。
【請求項２１】
ハブ・ロック手段が第1の位置にあり、係合手段が係合位置に設定されると、シリンダ・カムが第1の方向と逆の第2の方向に回転することによって、ロック装置とハブ回転ロック手段が一緒に滑り、したがって、プロチュバランスがくぼみから離れ、かつハブが回転することができる。
【請求項２２】
係合手段は、係合位置と係合解除位置との間を、ロック装置の移動方向に垂直な方向に移動する、請求項20または21記載の錠。
【請求項２３】
係合手段は、係合位置でロック装置の開口部に受け入れられ、係合解除位置で開口部から離れる端部を含む、請求項20、21、または22に記載の錠。
【請求項２４】
係合手段は、戻り止めによって係合位置と係合解除位置の一方に残るように偏らされる、請求項20〜23のいずれか一項記載の錠。
【請求項２５】
係合手段は、ばねレグによって係合位置と係合解除位置の一方に残るように偏らされる、請求項20〜23のいずれか一項記載の錠。
【請求項２６】
錠は、一対の駆動シャフトと、各々が一方の駆動シャフト上に取り付けられた一対のハブと、一対の係合手段とを含み、各係合手段は、ロック装置に対して独立に設定することができる、請求項20〜25記載の錠。
【請求項２７】
彫込み錠であって、
錠ハウジングと、
ハウジングに対して伸長位置と引込み位置との間を移動するようになっており、第1の駆動プロチュバランスを有するボルト組立体と、
活動位置と非活動位置との間をピボット運動できるように取り付けられており、第2の駆動プロチュバランスを有するキックオフ部材と、
駆動シャフトと一緒に回転できるように駆動シャフト上に取り付けられたハブと、
ハウジングに対して、ハブの回転を妨げるロック位置とハブの回転を可能にするロック解除位置との間を滑り可能に移動できるようになっているロック装置とを含み、
キックオフ部材が非活動位置にあり、ボルト組立体が伸長位置から引込み位置の方へ駆動されたときに、第1の駆動プロチュバランスが第2の駆動プロチュバランスに接触せずに第2の駆動プロチュバランスを通過し、かつキックオフ部材を非活動位置から移動させず、
キックオフ部材が活動位置にあり、ボルト組立体が伸長位置から引込み位置の方へ駆動されたときに、第1の駆動プロチュバランスが、第2の駆動プロチュバランスに接触し、かつ活動位置へのキックオフ部材の最初のピボット運動を生じさせ、キックオフ部材をさらに同じ方向にピボット運動させ、ロック部材をロック位置に駆動させる彫込み錠。
【請求項２８】
キックオフ部材は、戻り止めによって活動位置または非活動位置に残るように偏らされる、請求項27記載の錠。
【請求項２９】
キックオフ部材はケーシングにピボット運動可能に取り付けられている、請求項27または28記載の錠。
【請求項３０】
キックオフ部材は、ボルト組立体にピボット運動可能に取り付けられている、請求項27または28記載の錠。
【請求項３１】
錠ハウジングは、工具端部が通過してキックオフ部材に係合し、キックオフ部材が活動位置と非活動位置との間を移動するのを可能にする開口を含む、請求項27〜30のいずれか一項記載の錠。
【請求項３２】
彫込み錠であって、
錠ハウジングと、
ハウジングに対して伸長位置と引込み位置との間を移動するようになっているボルト組立体と、
キーまたはタブによって駆動されるようになっているキー・シリンダ・カムと、
ハンドルまたはノブによって駆動されるようになっている駆動シャフトと、
シャフトと一緒に移動できるようにシャフト上に取り付けられたハブと、
キー・シリンダ・カムとハブの各々が分離して移動させられたことに応答してボルトを伸長位置から引込み位置まで引き込むようになっているボルト引込み組立体とを含む彫込み錠。
【発明の詳細な説明】
【技術分野】
【０００１】
発明の分野
本発明は錠に関し、特に、ドアまたはドア・フレームの縁部に凹状に設置されるようになっている彫込み錠に関する。
【０００２】
本発明は、主としてガラス製引戸のアルミニウム製フレームに設置されるものとして開発されており、この用途に関して説明するものとする。しかし、本発明がこの特定の用途に限らず、他の種類のドアへの設置にも同様に適していることが理解されよう。
【背景技術】
【０００３】
発明の背景
多くの種類の彫込み錠が既知である。最もよく知られている彫込み錠に共通する問題は、いくつかの異なるドア・バックセット距離に適するように容易に再構成することができないことである。この場合、各バックセット距離ごとに各錠のいくつかの異なるモデルが必要であり、そのため開発・在庫コストが増す。
【０００４】
他の問題は、内部要素の空間効率が不十分であることである。特にバックセット距離が短い場合、サイズが小さいことが重要である。
【０００５】
さらに、多くの既知の彫込み錠は一ハンドル回転方向にしか動作できず、そのため、ノブについては、両方向に使用される傾向があるため動作上の問題が生じる。
【０００６】
いくつかの彫込み錠は、ハンドルの上方にロック・シリンダを有している。このため、キーがハンドルを引っ掻くことになる。さらに、ハウジングの、シリンダが嵌め込まれる大きな開口部によって、おがくずおよびその他の異物がロック機構に落ち込み、機械的な故障が起こる。
【発明の開示】
【０００７】
発明の目的
本発明の目的は、上記の欠点の1つまたは複数を実質的に解消するかまたは少なくとも軽減することであり、一般に、既知の彫込み錠よりも要素の少ない彫込み錠を提供することである。
【０００８】
発明の概要
したがって、第1の局面では、本発明は、彫込み錠であって、
錠ハウジングと、
ハウジングに対して作動方向に沿って伸長位置と引込み位置との間を移動するようになっているボルト組立体と、
ボルト組立体が伸長位置から引込み位置まで移動するのを妨げるデッドラッチ位置と、ボルト組立体が伸長位置から引込み位置まで移動するのを可能にする閉位置との間をピボット運動するようになっているデッドラッチ部材とを含み、
デッドラッチ部材が、ボルト組立体と一緒に移動できるようにホスト組立体上にピボット運動可能に取り付けられ、かつデッドラッチ位置と閉位置との間を作動方向に垂直方向にピボット運動するようになっている彫込み錠を提供する。
【０００９】
デッドラッチ部材は好ましくは、デッドラッチ位置に偏らされたばねである。
【００１０】
ボルト組立体は好ましくは、伸長位置に偏らされたばねである。
【００１１】
錠ハウジングは好ましくは、プロチュバランスを有し、デッドラッチ部材は、閉位置のときは、ボルト組立体と一緒にプロチュバランスを越えた位置まで移動するようになっており、デッドラッチ位置のときは、ボルト組立体と一緒に移動してプロチュバランスに当接するようになっている。
【００１２】
ボルト組立体は好ましくは、一次ボルトおよび補助ボルトを含み、デッドラッチ部材は、一次ボルトと補助ボルトとの間の相対的な移動によって閉位置とデッドラッチ位置との間を駆動される。
【００１３】
一態様では、ボルト組立体は好ましくは、一次ボルトが回転可能に取り付けられ、デッドラッチ部材がピボット運動可能に取り付けられ、補助ボルトが滑り可能に取り付けられたボルト・キャリアも含む。デッドラッチ部材は好ましくは、補助ボルトに当接するようになっている第1のプロチュバランスを含み、補助ボルトが一次ボルトに対して滑り可能に移動すると、デッドラッチ部材がピボット運動する。
【００１４】
他の態様では、ボルト組立体は、一次ボルトが回転可能に取り付けられ、デッドラッチ部材がピボット運動可能に取り付けられ、補助ボルト組立体が滑り可能に取り付けられたボルト・キャリアも含む。デッドラッチ部材は好ましくは、補助ボルト組立体に当接するようになっているプロチュバランスを含み、補助ボルト組立体が一次ボルトキャリアに対して滑り可能に移動すると、デッドラッチ部材がピボット運動する。補助ボルト組立体は好ましくは、補助ボルトおよび補助ボルト・キャリアを含む。
【００１５】
この錠は好ましくは、ハンドルまたはノブによって軸の周りを駆動されるようになっている駆動シャフトと、駆動シャフトの回転に応答してピボット運動するようになっている部材も含み、この部材の最初のピボット運動によって、デッドラッチ部材が閉位置までピボット運動し、アームがさらにピボット運動することによって、ボルト組立体が引込み位置まで滑り移動する。
【００１６】
第2の局面では、本発明は、彫込み錠であって、
錠ハウジングと、
ハンドルまたはノブによって軸の周りを回転駆動されるようになっている駆動シャフトと、
シャフトと一緒に第1の位置から第2の時計回り位置または第3の反時計回り位置の方へ回転できるようにシャフト上に取り付けられ、間隔を置いて配置された一対のプロチュバランスを有するハブと、
ハウジングに対して移動できるようになっており、移動時に、ボルト引込み組立体を移動させるようになっている一対の構造および係合面を有する駆動手段とを含み、
ハブを時計回りに第2の位置に移動させると、一方のプロチュバランスが一方の構造に当接し、駆動部材を第1の方向に移動させ、ハブを反時計回りに第3の位置に移動させると、他方のプロチュバランスが他方の構造に当接し、やはり駆動部材を第1の方向に移動させる彫込み錠を提供する。
【００１７】
一形態では、駆動手段は、ハウジングに対して滑り可能に移動できるように取り付けられている。
【００１８】
他の形態では、駆動手段は、ハウジングに対してピボット運動できるように取り付けられており、ボルト引込み組立体を組み込んでいる。
【００１９】
ボルト引込み組立体は好ましくは、ハンドルまたはノブをどちらの方向（時計回りまたは反時計回り）に回転させるかにかかわらずボルトを引き込むように移動させられる。
【００２０】
駆動手段は望ましくは、第1の方向と逆の第2の方向に偏らされたばねであり、またハブを第1の位置に偏らせる。
【００２１】
この錠は望ましくは、一対の駆動シャフトと、各々が一方の駆動シャフト上に取り付けられた一対のハブとを含み、駆動手段は、2対の構造を含み、各構造対は、ハブが第1の位置に来たときに各プロチュバランス対に係合するようになっている。
【００２２】
一態様では、ボルト引込み組立体は、ピボット運動可能なラッチ・アームを含み、駆動部材係合面は、ラッチ・アーム上に設けられた歯車部に係合するようになっている歯車ラックである。
【００２３】
他の態様では、ボルト引込み組立体は、錠ハウジングにピボット運動可能に取り付けられたアームである。
【００２４】
第3の局面では、本発明は、彫込み錠であって、
錠ハウジングと、
ハンドルまたはノブによって軸の周りを回転駆動されるようになっている駆動シャフトと、
シャフトと一緒に回転できるようにシャフト上に取り付けられ、プロチュバランスを有するハブと、
くぼみを有し、ハウジングに対して、プロチュバランスがくぼみ内に受け入れられ、したがって、ハブが回転するのが妨げられる第1の位置と、プロチュバランスがくぼみから離れ、したがってハブが回転できる第2の位置との間を滑り可能に移動できるようになっているハブ回転ロック手段と、
シリンダ・カムの回転に応答してハウジングに対して滑り可能に移動できるようになっているロック装置と、
ハブ回転ロック手段とロック装置が一緒にハウジングに対して滑り可能に移動できるように連結される係合位置と、ハブ回転ロック手段とロック装置が一緒にハウジングに対して滑り可能に移動することができなくなる係合解除位置とに設定することができる係合手段とを含み、
ハブ・ロック手段が第2の位置にあり、係合手段が係合位置に設定されると、シリンダ・カムが第1の方向に回転することによって、ロック装置とハブ回転ロック手段が滑り、プロチュバランスがくぼみに受け入れられ、ハブが回転できなくなり、
ハブ・ロック手段が第2の位置にあり、係合手段が係合解除位置に設定されると、シリンダ・カムが第1の方向に回転することによって、ロック装置のみが滑り、したがって、プロチュバランスがくぼみから離れたままになり、ハブが回転することができる彫込み錠を提供する。
【００２５】
好ましくは、ハブ・ロック手段が第1の位置にあり、係合手段が係合位置に設定されると、シリンダ・カムが第1の方向と逆の第2の方向に回転することによって、ロック装置とハブ回転ロック手段が一緒に滑り、したがって、プロチュバランスがくぼみから離れ、ハブが回転することができる。
【００２６】
好ましくはまた、係合手段は、係合位置と係合解除位置との間を、ロック装置の移動方向に垂直な方向に移動する。
【００２７】
係合手段は好ましくは、係合位置でロック装置の開口部に受け入れられ、係合解除位置で開口部から離れる端部を含む。
【００２８】
一形態では、係合手段は、戻り止めによって係合位置と係合解除位置の一方に残るように偏らされる。
【００２９】
他の形態では、係合手段は、ばねレグによって係合位置と係合解除位置の一方に残るように偏らされる。
【００３０】
この錠は望ましくは、一対の駆動シャフトと、各々が一方の駆動シャフト上に取り付けられた一対のハブと、一対の係合手段とを含み、各係合手段は、ロック装置に対して独立に設定することができる。
【００３１】
第4の局面では、本発明は、彫込み錠であって、
錠ハウジングと、
ハウジングに対して伸長位置と引込み位置との間を移動するようになっており、第1の駆動プロチュバランスを有するボルト組立体と、
活動位置と非活動位置との間をピボット運動できるように取り付けられており、第2の駆動プロチュバランスを有するキックオフ部材と、
駆動シャフトと一緒に回転できるように駆動シャフト上に取り付けられたハブと、
ハウジングに対して、ハブの回転を妨げるロック位置とハブの回転を可能にするロック解除位置との間を滑り可能に移動できるようになっているロック装置とを含み、
キックオフ部材が非活動位置にあり、ボルト組立体が伸長位置から引込み位置の方へ駆動されたときに、第1の駆動プロチュバランスが第2の駆動プロチュバランスに接触せずに第2の駆動プロチュバランスを通過し、かつキックオフ部材を非活動位置から移動させず、
キックオフ部材が活動位置にあり、ボルト組立体が伸長位置から引込み位置の方へ駆動されたときに、第1の駆動プロチュバランスが、第2の駆動プロチュバランスに接触し、かつ活動位置へのキックオフ部材の最初のピボット運動を生じさせ、キックオフ部材をさらに同じ方向にピボット運動させ、ロック部材をロック位置に駆動させる彫込み錠を提供する。
【００３２】
キックオフ部材は好ましくは、戻り止めによって活動位置または非活動位置に残るように偏らされる。
【００３３】
一形態では、キックオフ部材はケーシングにピボット運動可能に取り付けられている。
【００３４】
他の形態では、キックオフ部材はボルト組立体にピボット運動可能に取り付けられている。
【００３５】
錠ハウジングは好ましくは、工具端部が通過してキックオフ部材に係合し、キックオフ部材が活動位置と非活動位置との間を移動するのを可能にする開口を含む。
【００３６】
第5の局面では、本発明は、彫込み錠であって、
錠ハウジングと、
ハウジングに対して伸長位置と引込み位置との間を移動するようになっているボルト組立体と、
キーまたはタブによって駆動されるようになっているキー・シリンダ・カムと、
ハンドルまたはノブによって駆動されるようになっている駆動シャフトと、
シャフトと一緒に移動できるようにシャフト上に取り付けられたハブと、
キー・シリンダ・カムとハブの各々が分離して移動させられたことに応答してボルトを伸長位置から引込み位置まで引き込むようになっているボルト引込み組立体とを含む彫込み錠を提供する。
【００３７】
次に、本発明の好ましい態様について、添付の図面を参照して一例としてのみ説明する。
【００３８】
好ましい態様の詳細な説明
図1〜48は、本発明の5つの態様の例を含む彫込み錠2aの第1の態様を示している。まず図1〜4を参照すると、錠2aは、それぞれ関連するカム8および10を有する第1および第2のキー・シリンダ4および6を含んでいる。第1のキー・シリンダ4は錠ハウジング12に取り付けられ、第2のキー・シリンダ6は錠ハウジング・カバー14に取り付けられている。錠ハウジング12には前端板16も取り付けられている。
【００３９】
錠2aは、ラッチ・ボルト18と、関連するボルトばね22を有するボルト・キャリア20と、ボルト・キャリア保持インサート24と、関連する補助ボルトばね28を有する補助ボルト26とで構成されたボルト組立体17を含んでいる。デッドラッチ・ロッカー・アーム30の形のデッドラッチ部材は、ボルト組立体17にピボット運動可能に取り付けられ、特に、以下に詳しく説明するようにボルト・キャリア20とボルト・キャリア保持インサート24との間に取り付けられている。ロッカー・アーム30は、関連するねじりばね31を有している。
【００４０】
錠2aは、第1および第2のハブ32および34に連結された、方形の断面を有する一対の従来の駆動シャフト（図示せず）に連結されたノブやレバー（図示せず）などの外側ハンドルも含んでいる。特に、各ハブ32、34は、各駆動シャフトに回転不能に係合し、一方のハンドルから関連する一方のハブ32、34に回転移動を伝達する、対応する方形の断面を持つ開口36を有している。
【００４１】
錠2cは、駆動ラック40の形をした駆動手段および関連する駆動ラックばね42と、やはり以下に詳しく説明するようにラッチ・ボルト引込みアーム44を含むボルト引込み組立体も含んでいる。
【００４２】
錠2aは、それぞれ、第1および第2のロック・バー係合装置49および50の形をした関連する係合手段を有する、第1および第2のハブ・ロック・スライダ46および48の形をした一対のハブ回転ロック手段も含んでいる。ロック・バー係合装置49、50はそれぞれ、やはり以下に詳しく説明するように、関連するハブ・ロック・スライダ46および48がそれぞれ、ロック・バー52の移動と共に移動するか、または移動しない2つの位置の一方に設定することができる。
【００４３】
錠2aは、キックオフ・レバー54の形をしたキックオフ作動部材と、動作についてやはり以下に詳しく説明するシリンダ・カム・ボルト保持バー56も含んでいる。
【００４４】
次に、デッドラッチ組立体の機能および動作について、図5〜17を参照して詳しく説明する。図5を見ると最もよく分かるように、ボルト・キャリア20とボルト・キャリア保持インサート24は、スナップ係合プロング58によって対応するくぼみ60と組み立てられる。キャリア20およびインサート24はそれぞれ、ラッチ・ボルト18から延びている同様に先細りにされたシャフト66に対応し、かつシャフト66を受け入れる部分的に先細りにされた円筒形のくぼみ62および64を含んでいる。これによって、ラッチ・ボルト18は、2つの矢頭を有する矢印68で示されているようにボルト18の長手方向軸の周りを回転することができ、したがって、容易に錠2aを掛け直すことができるようになる。キャリア20およびインサート24は、デッドラッチ・ロッカー・アーム30上の円筒形の部分74に対応する他の部分的に円筒形のくぼみ70および72も有している。これによって、ロッカー・アーム30はデッドラッチ位置（図7、10、11、12、および13参照）と開位置（図6、8、9、14、および15参照）との間のピボット運動することができる。ロッカー・アーム30は、ねじりばね31によってデッドラッチ位置に偏らされている。またロッカー・アーム30は第1および第2のエクセントリックエンドプロチュバランス76および78のそれぞれを有する。プロチュバランス78は、補助ボルト26上のプロチュバランス80に動作可能に係合する。
【００４５】
図12および13は、ドアを閉めた後に得られるような伸長位置のラッチ・ボルト18を示している。ドアを閉める動作の間（すなわち、事前にボルトを引き込まずにドアを閉めること）、ボルト18は最初引き込まれ、ストライクプレート（図示せず）上を移動し、次いでばね22の影響を受けて従来のストライクプレートに存在するラッチ・ボルト開口部まで延びる。ストライクプレートは補助ボルト26に対応する開口部を有さないので、補助ボルト26は、ドアが閉じられたときにラッチ・ボルト18ほど延びることができない。このため、プロチュバランス80は当接せず、したがって、上述のように、ロッカー・アーム30の第２の端部のプロチュバランス78がピボット運動する。したがって、ロッカー・アーム30は、その他方の端部のプロチュバランス76が図12および13に示されている位置にピボット運動するまでばね31の影響を受けてピボット運動する。図13に最もよく示されているように、ロッカー・アーム30がこの位置に来ると、ボルト18がハウジング12内に矢印84の方向に押し戻されようとしたときに、第1の端部のプロチュバランス76がカバー・プレート14のボス82に当接する。このようなボルト18の動きは、錠2aが正しく開けられようとした場合に経験される動きと同様である。この当接部材82は、ラッチ・ボルト18が引き込まれるのを妨げ、したがって、ドアが開けられるのを妨げる。
【００４６】
図14および15は、ドアを閉める前の錠2aを示している。補助ボルト26はラッチ・ボルト18と同じだけ延びることができるので、プロチュバランス80は、ばね31の影響に逆らって、ロッカー・アーム30の第2の端部のプロチュバランス78に当接し、第2の端部のプロチュバランス78をピボット運動させる。ロッカー・アーム30のこのピボット運動によって、その他方の端部のプロチュバランス76は、図14および15に示されている位置までピボット運動する。図15に最もよく示されているように、ロッカー・アーム30がこの位置に来ると、ドアを閉めるときに経験されるのと同様に、ボルト18がハウジング12内に矢印84の方向に押し戻されるにつれて、第1の端部のプロチュバランス76はカバー・プレート14上のボス82を離れる。
【００４７】
ボルト組立体17にピボット運動可能に取り付けられたデッドラッチ・ロッカー・アーム30の主要な利点は、図16および17を参照して最もよく説明することができる。図16は、（標準）23mmバックセット（バックセットとは、カバー・プレートの外側とハブ／作動シャフトの中心線との間の距離である）向けに構成された錠2aを示している。23mmバックセットは、アルミニウム製フレーム付きドアに適している。図17は、標準木製ドアに適した（標準）60mmバックセットに使用できるように構成されたほぼ同一の錠2bを示している。重要なこととして、このような変更は、2つの非常に単純な伸長部材86および88をそれぞれボルト18および補助ボルト26に追加し、ハウジング12にスペーサ・ブロック（図示せず）を追加することによって簡単に行うことができる。または、より長いハウジング12およびカバー14（図示せず）で置き換えることができる。さらに、より長いハウジング12およびカバー14（図示せず）を用いてスペーサ・ブロックを不要にすることができる。錠2bの他のすべての要素は修正されていない。したがって、錠2aは、要素の最小限に変更だけで多数の異なるバックセット向けに容易に構成することができ、それによって特定の用途向けの特定の錠構造が不要になり、開発・在庫コストが安くなる。
【００４８】
利点はまた、以下に図18〜28を参照して説明するように、いずれかの外側ハンドルをいずれかの方向に回転させることによって、ドアを開けられるように、錠2aのボルト18を引き込むことができることである。図18〜20を見ると最もよく分かるように、ハブ34は、傾斜して間隔を置いて配置されたショルダ90および92の形をした一対のプロチュバランスを有し、駆動ラック40は、対応するレッジ94および96の形をした一対の構造を有している。駆動ラック40は、歯車ラック98（図2参照）の形をした係合面も有している。ラック98はラッチ・ボルト引込みアーム44（やはり図2参照）上のピニオン歯車100に噛み合う。駆動ラック40は、ハブ34を図18に示されている（第1の）位置に偏らせるばね42によって矢印102の方向に偏らされている。
【００４９】
外側ハンドル（図示せず）が、図19に示されているようにハブを反時計周りに回転させるように回転させられた場合、第1のショルダ90は第1のレッジ94に係合し、駆動ラック40をばね42の作用に逆らって矢印104の方向に駆動する。引込みアーム44は、ピボット運動のみができるように取り付けられているので、駆動ラック40上の歯車ラック98が（下向きに）移動すると、ラッチ・ボルト引込みアーム44が反時計回りにピボット運動する。外側ハンドル（図示せず）が、図20に示されているようにハブを時計周りに回転させるように回転させられた場合、第2のショルダ92が第2のレッジ96に係合し、それによって、駆動ラック40も矢印104の方向に駆動され、前述のように引込みアーム44が反時計回りにピボット運動する。
【００５０】
次に、ラッチ・ボルト引込みアーム44によるラッチ・ボルト18の引込みについて、それぞれ図25〜28に示されている部分図に対応する図21〜24を参照して説明する。図21および22（図25および26も参照）は、伸長位置にありデッドラッチされたラッチ・ボルト18を示している。前述のように、ロッカー・アーム44の最初のピボット運動によって、ロッカー・アーム30の遠位端106がデッドラッチ・ロッカー・アーム30の第1の端部のプロチュバランス76に当接し、ロッカー・アーム30をデッドラッチ位置から開位置まで駆動する（図23、24、27、および28参照）。ロッカー・アーム30が開位置まで移動すると、引込みアーム44の遠位端も、ボルト・キャリア20上に設けられたボス108に当接し、引込みアーム44がさらに反時計回りにピボット運動することによって、ラッチ・ボルト18がボルト・ケーシング12に引き込まれる（図23および24参照）。
【００５１】
ボルトの引き込みをハンドルをいずれかの方向に回転させることによって行うと、特に作動ハンドルがノブであるときに有利である。さらに、このハンドル動作を上述のラッチ・ボルトの掛け直し機能と組み合わせると、内側／外側／左回り開／右回り開とは無関係にすべての設置先で使用するのに適した単一の錠が得られる。
【００５２】
シリンダ・カム・ボルト引込みバー56の動作についても図21〜24を参照して説明する。バー56は、駆動ラック40の長穴112に受け入れられる第1の端部のタブ110を有している。バー56の他方の端部は第2の端部のタブ114を有している。第1のキー・シリンダ4のカム8は、最初に反時計回りに回転させられると第2の端部のタブ114に当接する。カム8をさらに反時計回りに回転させると、バー56が矢印104の方向に駆動され、したがって、駆動ラック40が矢印104の方向に駆動される。駆動ラック40の動きは、前述のようなハブ34の回転による動きと同一であり、やはり前述のように、ドアを開けられるように、ラッチ・ボルト引込みアーム44に同様にボルト18を引き込ませる。
【００５３】
この構成の利点は2つある。まず、カム8および10が使用されるとき（図2および4参照）、錠がロックされているか、ロック解除されているかにかかわらず、閉まっているドアを片手で開けることができる（すなわち、ロック解除されている場合、キーのみを回すかまたはハンドルのみを回し、ロックされている場合は、キーのみを回す）。しかし、カム8および10は、錠2をロック解除またはロックする際にロック・バー52のみを移動させるように短くすることができ、それによって、シリンダ・カム・ボルト保持バー56が独立に移動しないかぎり、ロック解除されているかまたは閉まっているドアを開けることができなくなる。第2に、キー・シリンダ・カム8および10がハンドルと共通の要素と一緒に働くので、錠2aの要素の総数が減り、それによって製造および組立が簡略化される。
【００５４】
次に、キックオフ・レバー54の動作について、図29〜40を参照して詳しく説明する。キックオフ・レバー54は、小さいなスタブ・シャフト116および大きなスタブ・シャフト118をそれぞれ遠位端上に有している。シャフト116、118は、それぞれ錠ハウジング12および錠ハウジング・カバー14に設けられた対応するくぼみ120（図2参照）および122（図4参照）にピボット運動可能に受け入れられる。したがって、レバー54は、錠ハウジング12およびカバー14に対してシャフト116、118の周りをピボット運動する。ボルト・キャリア保持インサート24は、それ自体が駆動ボス126を有する駆動ボス124をレバー54に隣接して有している。錠ハウジング・カバー14の長穴130（図4参照）内を移動し、レバー54は、長穴130のいずれかの端部に偏らされる戻り止め128も有している。レバー54の中央は、長穴132を有する隆起部を有している。組立時には、錠ハウジング・カバー14の開口部134（図2参照）を通して長穴132に手を届かせることができる。スクリュ・ドライバなどの工具を開口部134を通してスロット132に挿入し、これを用いてキックオフ・レバー54を、戻り止め128が長穴130の頂部に保持される（非活動）位置または戻り止め54が長穴130の下部に保持される（活動）位置に位置させることができる（図37〜40参照）。レバー54の遠位端は、ロック・バー52のくぼみ138内に突き出るショルダ136も含んでいる。くぼみ138は下部タブ139を有している。ロック・バー52は、以下に詳しく説明するように、第1および第2のハブ・ロック・スライダ46および50と一緒に移動して錠2をロックしかつロック解除するようにリンクすることができる。本発明では、ロック・バー52を矢印140の方向に駆動すれば錠2をロック解除することができると言えば十分である。
【００５５】
図29、30、33、および34は、非活動位置にあるキックオフ・レバー54を示している。ドアを閉めるとき、ボルト18は、ストライクプレートに当たり、伸長位置（図29および33）から引き込み位置（図30および34参照）に移動させられる。この移動の間、ボルト・キャリア保持インサート24上の駆動ボス124は、レバー54上の駆動ボス126に駆動接触することなしに駆動ボス126の下方をすべる。したがって、この動きがキックオフ・レバー54やロック・バー52の位置に影響を与えることはなく、キックオフ・レバー54が非活動位置にあるとき、ドアを閉めることによってドアがロック解除されることはない。キックオフ・レバーが活動位置にあるとき（図31、32、35、および36）、前述のようにドアを閉めると、駆動ボス124がレバー駆動ボス126に当接し、レバー54をピボット運動させ、したがって、ショルダ136が矢印140の方向にピボット運動する。これによって、ショルダ136がくぼみタブ139に係合し、ロック・バー52を矢印140の方向に駆動し、それによって錠2aをロック状態からロック解除状態に変更する。
【００５６】
したがって、キックオフ・レバー54を活動位置にすると、ドアを閉めたときにうっかりロックしてしまうことが防止される。キックオフ・レバー54によってもたらされる利点は、このレバーが、錠の、他の目的に用いられる要素（すなわち、ロック・バー）に関連して動作し、それによって要素の数が少なくなり錠全体の製造・組立コストが安くなることである。
【００５７】
次に、ロック・バー52の動作について図41〜48を参照して詳しく説明する。図41および42を見ると最もよく分かるように、ロック・バー52は一対の上部くぼみ142を有している。第1および第2のハブ・ロック・スライダ46、48はそれぞれ、一方のロック・バー係合装置49、50を受け入れる長穴付きくぼみ143を有している。係合装置49、50は、それぞれ錠ハウジング12およびカバー14の開口部146を通して手を届かせることのできる長穴144を有している。係合装置49、50を、係合装置49、50の端部が一方の長穴142内に受け入れられる係合位置（図43および44参照）または係合装置49、50がくぼみ142に入らない係合解除位置（図45および46参照）に設定する場合に、スクリュ・ドライバなどの工具が開口部146に挿入される。係合装置49、50は、その他方の端部をハブ・ロック・スライダ46、48の2つの戻り止め長穴148（図44および46参照）の一方に係合することによって、係合位置または係合解除位置に保持される。ロック・バー52の他方の端部は、傾斜したタブ148を有している。
【００５８】
係合装置49、50はそれぞれ、以下に詳しく説明するように、錠ハウジング12および錠ハウジング・カバー14のそれぞれのL字形くぼみ149にそれぞれ受け入れられるプロチュバランス49a、50aも有している。
【００５９】
（短い）シリンダ・カム8は、反時計回りに、図23に示されている位置を越えた位置まで駆動されると、最初、傾斜したタブ148に当接する。さら反時計回りに移動させると、ロック・バー52が矢印150の方向に押される。ロック・バー係合装置49および50のいずれかが係合位置に設定された場合（図43、44、および47参照）、ロック・バー52をこのように移動させると、それに対応して、関連するハブ・ロッキング・スライダ46、48が移動する。この移動の間、係合装置のプロチュバランス49a、50aは一方のL字形くぼみ149のより長いアーム内を移動する。各スライダ46、48は、各ハブ32、34（図2および4参照）上のプロチュバランス154に対応するくぼみ152も有している。したがって、ロック・バー52および係合されたハブ・ロック・スライダ46、48を駆動すると、関連するくぼみ152もプロチュバランス154上を駆動され、ハブ32、34の回転およびドアのロックが防止される。錠操作者がドアをどちら側からロックできるようにするかまたは両側からロックできるようにするかを設定できるように係合装置49、50が互いに独立に設定可能であることに留意されたい。さらに、ハブ32、34が両回転方向に動作し、くぼみ152とプロチュバランス154が係合することによって、ハブ32、34も両方向に回転することができなくなるようにロックされることに留意されたい。
【００６０】
いずれかの係合装置49、50が係合解除位置に設定されると（図45、46、および48参照）、前述のキー移動によって、ロック・バー52が静止しているハブ・ロック・スライダ46または48に対して方向150に移動する。したがって、くぼみ152はプロチュバランス154から離れたままであり、関連するハブ32、34の移動およびこの側からのドアのロック解除が可能になる。この位置では、係合装置のプロチュバランス49a、50aはそれぞれ、一方のL字形くぼみ149のより短いアームに入ったままである。
【００６１】
この係合装置構成の主要な利点は、係合装置がロック・バーと同じだけ移動し、したがって、いずれの位置でも、既知の彫込み錠と同様に、ロック・バーおよびそれに関連する要素の全長が長くなることがないことである。このため、錠要素に必要な空間が小さくなり、より小さな錠を製造するのが可能になる。さらに、係合装置49、50が係合解除位置に設定されると、スライダ46、48は移動せず、それによって、錠2aの可動部品の数が少なくなり、関連する摩擦が軽減される。
【００６２】
図49〜92は、本発明の5つの局面の実施例を含む彫込み錠2cの第2の態様を示している。錠2cは錠2aと同様に働き、錠2aを表すのに用いられるのと同じ参照符号を用いて、錠2cに関する同じまたは同様の特徴を示すものとする。
【００６３】
まず図49〜53を参照すると、錠2cは、それぞれ関連するカム8および10を有する第1および第2のキー・シリンダ4および6を含んでいる。第1のキー・シリンダ4は、ピン13によって錠ハウジング12に取り付けられ、第2のキー・シリンダ6はピン15によって錠ハウジング・カバー14に取り付けられている。錠ハウジング12には前端板16も取り付けられている。
【００６４】
錠2cは、ラッチ・ボルト18と、関連するボルトばねを有するボルト・キャリア20とで構成されたボルト組立体17（図53〜55参照）を含んでいる。錠2cは、補助ボルト26と、補助ボルトばね28に関連する補助ボルト・キャリア27とを有する補助ボルト組立体226も含んでいる。デッドラッチ・ピボット・アーム30の形のデッドラッチ部材は、ボルト組立体17にピボット運動可能に取り付けられ、特に、以下に詳しく説明するようにボルト・キャリア20に取り付けられている。ピボット・アーム30は、関連するねじりばね31を有している。
【００６５】
錠2cは、第1および第2のハブ32および34に連結された、方形の断面を有する一対の従来の駆動シャフト（図示せず）に連結されたノブやレバー（図示せず）などの外側ハンドルも含んでいる。特に、各ハブ32、34は、各駆動シャフトに回転不能に係合し、一方のハンドルから関連する一方のハブ32、34に回転移動を伝達する、対応する方形の断面を持つ開口36を有している。
【００６６】
錠2cは、駆動手段と、やはり以下に詳しく説明するようにラッチ・ボルト引込み部材44に組み込まれたボルト引込み組立体も含んでいる。
【００６７】
錠2cは、それぞれ、第1および第2のロック・バー係合装置49および50の形をした関連する係合手段を有する、第1および第2のハブ・ロック・スライダ46および48の形をした一対のハブ回転ロック手段も含んでいる。ロック・バー係合装置49、50はそれぞれ、やはり以下に詳しく説明するように、関連するハブ・ロック・スライダ46および48がそれぞれ、ロック・バー52の移動と共に移動するか、または移動しない2つの位置の一方に設定することができる。
【００６８】
錠2cは、キックオフ・ブロック54の形をしたキックオフ作動部材と、動作についてやはり以下に詳しく説明するカムピボットリンク254およびシリンダ・カム・ボルト保持バー56も含んでいる。
【００６９】
次に、デッドラッチ組立体の機能および動作について、図53〜63を参照して詳しく説明する。図53を見ると最もよく分かるように、ボルト・キャリア20は、ラッチ・ボルト18から延びている同様のシャフト66に対応し、かつシャフト66を受け入れる円筒形のくぼみ62を含んでいる。ラッチ・ボルト18は、サークリップ266によってキャリア20に隣接して保持されている。補助ラッチ・ボルト26は、サークリップ366によって補助ボルトキャリア27に隣接して保持されている。これによって、ラッチ・ボルト18および補助ラッチ・ボルト26は、2つの矢頭を有する矢印68で示されているようにボルトの長手方向軸の周りを回転することができ、したがって、容易に錠2aを掛け直すことができるようになる。キャリア204は、デッドラッチ・ピボット・アーム30上の円筒形の部分74（図52参照）に対応する他の円筒形くぼみ72を有している。これによって、ピボット・アーム30はデッドラッチ位置（図54、55、57、58、および59参照）と開位置（図54、60、および61参照）との間のピボット運動することができる。ピボット・アーム30はねじればね31によってデットラッチ位置に偏る。ピボット・アーム30は、第1、第2、および第3のプロチュバランス76、78、および79も有している。プロチュバランス78は、補助ボルト・キャリア27上のプロチュバランス80に動作可能に係合する。
【００７０】
図58および59は、ドアを閉めた後に得られるような伸長位置のラッチ・ボルト18を示している。ドアを閉める動作の間、ボルト18は最初引き込まれ、ストライクプレート（図示せず）上を移動し、次いでばね22の影響を受けて従来のストライクプレートに存在するラッチ・ボルト開口部まで延びる。ストライクプレートは補助ボルト26に対応する開口部を有さないので、補助ボルト26は、ドアが閉じられたときにラッチ・ボルト18ほど延びることができない。このため、プロチュバランス80が当接し、したがって、上述のように、ピボット・アーム30の第２のプロチュバランス78がピボット運動する。ピボット・アーム30がこのようにピボット運動することによって、第1のプロチュバランス76が、図58および59に示されている位置までピボット運動する。図59に最もよく示されているように、ピボット・アーム30がこの位置に来ると、ボルト18がハウジング12内に矢印84の方向に押し戻されようとしたときに、第1のプロチュバランス76がカバー・プレート14のボス82に当接する。このようなボルト18の動きは、錠2cが正しく開けられようとした場合に経験される動きと同様である。ボス82は、ラッチ・ボルト18が引き込まれるのを妨げ、したがって、ドアが開けられるのを妨げる。
【００７１】
図60および61は、ドアを閉める前の錠2cを示している。補助ボルト26はラッチ・ボルト18と同じだけ延びることができるので、プロチュバランス80は、ばね31の影響に逆らって、ロッカー・アーム30の第2のプロチュバランス78に当接し、第2の端部のプロチュバランス78をピボット運動させる。ロッカー・アーム30のこのピボット運動によって、第1のプロチュバランス76は、図60および61に示されている位置までピボット運動する。図61に最もよく示されているように、ロッカー・アーム30がこの位置に来ると、ボルト18がハウジング12内に矢印84の方向に押し戻されるにつれて、第1の端部のプロチュバランス76はカバー・プレート14上のボス82を離れる。ボルト18のこのような動きは、ドアを閉めるときに経験される動きと同様である。
【００７２】
ボルト組立体17にピボット運動可能に取り付けられたデッドラッチ・ピボット・アーム30の主要な利点は、図62および63を参照して最もよく説明することができる。図62は、（標準）23mmバックセット向けに構成された錠2cを示している。23mmバックセットは、アルミニウム製フレーム・ドアに適している。図63は、標準木製ドアに適した（標準）60mmバックセットに使用できるように構成されたほぼ同一の錠2dを示している。重要なこととして、このような変更は、2つの非常に単純な伸長部材86および88をそれぞれボルト18および補助ボルト26に追加し、伸長されたハウジング12aを用いることによって簡単に行うことができる。または、より長いボルト18および補助ボルト26（図示せず）で置き換えることができる。錠2cの他のすべての要素は修正されていない。したがって、錠2cは、要素の最小限に変更だけで多数の異なるバックセット向けに容易に構成することができ、それによって特定の用途向けの特定の錠構造が不要になり、開発・在庫コストが安くなる。
【００７３】
他の利点は、以下に図64〜70を参照して説明するように、いずれかの外側ハンドルをいずれかの方向に回転させることによって、ドアを開けられるように、錠2cのボルト18を引き込むことができることである。図64〜66を見ると最もよく分かるように、ハブ34は、一対の傾斜して間隔を置いて配置されたプロチュバランス90および92を有し、ラッチ・ボルト引込み部材44、一対の対応する構造94および96を有している。ラッチ・ボルト引込み部材44は、ハブ34を図64に示されている（第1の位置）に偏らせるばね42によって矢印202の方向に偏らされている。
【００７４】
外側ハンドル（図示せず）が、図66に示されているようにハブを反時計周りに回転させるように回転させられた場合、第1のプロチュバランス90は第1の構造 94に係合し、ラッチ・ボルト引込み部材44を引込みアーム44としてのばね42の作用に逆らって矢印202の方向に駆動する。外側ハンドル（図示せず）が、図65に示されているようにハブを時計周りに回転させるように回転させられた場合、第2のプロチュバランス92が第2の構造96に係合し、それによって前述のように引込みアーム44も反時計回りにピボット運動する。
【００７５】
次に、ラッチ・ボルト引込みアーム44によるラッチ・ボルト18の引込みについて、図67〜70を参照して説明する。図67および68は、伸長・デッドラッチ位置にあるラッチ・ボルト18を示している。前述のように、ロッカー・アーム44の最初のピボット運動によって、ピボット・アーム30の遠位端106がデッドラッチ・ピボット・アーム30の第3のプロチュバランス79に当接し、ピボット・アーム30をデッドラッチ位置から開位置まで駆動する。ピボット・アーム30が開位置まで移動すると、引込みアーム44の遠位端も、ボルト・キャリア20上に設けられたボス108に当接し、引込みアーム44がさらに反時計回りにピボット運動する（図69および70参照）ことによって、ラッチ・ボルト18がボルト・ケーシング12に引き込まれる。
【００７６】
ボルトの引き込みをハンドルをいずれかの方向に回転させることによって行うと、特に作動ハンドルがノブであるときに有利である。さらに、このハンドル動作を上述のラッチ・ボルトの掛け直し機能と組み合わせると、内側／外側／左回り開／右回り開とは無関係にすべての設置先で使用するのに適した単一の錠が得られる。
【００７７】
次に、引込みバー56の動作について、外側歯車208を有する「短い」カム8を持つ錠2cを示す図71〜73を参照して説明する。バー56は、ロック・カバー14にピボット運動可能に取り付けられたカミング部材210に係合する第1の端部のタブ110を有している。バー56の他方の端部は、引込み部材44上に設けられたスピゴット214に係合する開口部212を有している。キーがシリンダ4に挿入され回転させられると、カム8で対応する回転が起こり、カム8は最初カム部材210（図72参照）に係合する。カム8が引き続き回転すると、カム部材210は、図73に示されている位置まで回転し、引込みバー56で対応する下向きの移動が起こる。引込みバー56がこのように移動すると、引込み部材44が反時計回りにピボット運動し、したがって、引込みアーム44の遠位端106が、ボルト・キャリア20上に設けられたボス108に当接し、前述のようにラッチ・ボルト18をボルト・ケーシング12に引き込む。カム8の移動がカム・ピボット・リンク254の位置に影響を及ぼすことはない。したがって、この短いカムは、ラッチ・ボルトを引き込むことしかできない。このカムは、ロック・バーをロックすることもロック解除することもできない。
【００７８】
短いカム構成の利点は、キー・シリンダ・カム8および10がハンドルと共通の要素を有し、錠2cの要素の総数が少なくなり、それによって製造および組立が簡略化されることである。
【００７９】
次に、ロック・バー52および引き込みバー56の動作について、外側歯車208および中間長フィンガ308を有する「中間」カムを持つ錠2cを示す図74〜77を参照して説明する。図74は、カム・ピボット・リンク254を反時計回りにピボット運動させる位置まで回転させられたフィンガ308を示している。これによって、ロック・バー52が上向きに移動し、以下に説明するように、錠2cがロックされる。図75は、カム・ピボット・リンク254を時計回りにピボット運動させる位置まで回転させられたフィンガ308を示している。これによって、ロック・バー52が下向きに移動し、以下に説明するように、錠2cがロック解除される。図76は、歯車208が最初カム部材210に係合するようにカム8をピボット運動させる位置までさらに回転させられたフィンガ308を示している。カム8が引き続き回転すると、カム部材210は、図77に示されている位置まで回転し、引込みバー56で対応する下向きの移動が起こる。引込みバー56がこのように移動すると、引込み部材44が反時計回りにピボット運動し、したがって、引込みアーム44の遠位端106が、ボルト・キャリア20上に設けられたボスに当接し、前述のようにラッチ・ボルト18をボルト・ケーシング12に引き込む。
【００８０】
中間カム構成の利点は2つある。まず、錠がロックされているか、ロック解除されているかにかかわらず、閉まっているドアを片手で開けることができる（すなわち、ロック解除されている場合、キーのみを回すかまたはハンドルのみを回し、ロックされている場合は、キーのみを回す）。第2に、キー・シリンダ・カム8および10がハンドルと共通の要素を有するので、錠2cの要素の総数が減り、それによって製造および組立が簡略化される。
【００８１】
次に、ロック・バー52の動作について、長いフィンガ408を有する「長い」カム8を持つ錠2cを示す図78〜80を参照して説明する。図78は、フィンガ408がカム・ピボット・リンク254に係合しない中立位置にあるフィンガ408を示している。図79は、ピボット・リンク254を時計回りにピボット運動させる位置まで回転させられたフィンガ408を示している。これによって、ロック・バー52が下向きに移動し、以下に説明するように、錠2cがロック解除される。図80は、ピボット・リンク254を反時計回りにピボット運動させる位置まで回転させられたフィンガ408を示している。これによって、ロック・バー52上向きに移動し、以下に説明するように、錠2cがロックされる。したがって、この長いカム8は、ロック・バーをロックまたはロック解除することしかできない。長いカム8はラッチ・ボルトを引き込むことはできない。
【００８２】
長いカム構成の利点は、キー・シリンダ・カム8および10がハンドルと共通の要素を有するので、錠2cの要素の総数が減り、それによって製造および組立が簡略化される。
【００８３】
錠2cの各側を適切な短いカム、中間カム、または長いカムを有するように構成することによって、錠2cは、様々な用途およびアクセス要件向けにカスタマイズすることができる。
【００８４】
次に、キックオフ・ブロック54の動作について、図81〜84を参照して詳しく説明する。ブロック54は、ボルト・キャリア20の対応するくぼみ内に受け入れられるシャフト74の周りをピボット運動する。ブロック54は、ボルト・キャリア20の2つの対応する戻り止め230の一方に係合する戻り止め228を有している。ブロックは、組立後に、ロック・カバー・ハウジング14の開口部234（図82および84参照）を通して手を届かせることのできる長穴232も含んでいる。スクリュ・ドライバなどの工具を開口部234を通してスロット232に挿入し、これを用いてキックオフ・ブロック54を（図81および82に示されている）非活動位置または（図83および84に示されている）活動位置に位置させることができる。カム・ピボット・リンク254は、3つの部分254a、254b、および254cを有している。部分254cは、キックオフ・ブロック54の近くに位置させられ、また、ロック・バー52に係合される。ロック・バー52は、以下に詳しく説明するように、第1および第2のハブ・ロック・スライダ46および50と一緒に移動して錠2をロックしかつロック解除するようにリンクすることができる。本発明では、ロック・バー52を矢印140の方向に駆動すれば錠2cをロック解除することができると言えば十分である。
【００８５】
図81および82は、非活動位置にあるキックオフ・ブロック54を示している。ドアを閉めるとき、ボルト18は、ストライクプレートに当たり、伸長位置から引き込み位置に移動させられる。この移動の間、キックオフ・ブロック54は、カム・ピボット・リンク部254cに駆動接触することなしにカム・ピボット・リンク部254c上をすべる。したがって、この動きがキックオフ・ブロック54やカム・ピボット・リンク254やロック・バー52の位置に影響を与えることはない。したがって、キックオフ・ブロック54が非活動位置にあるとき、ドアを閉めることによって錠2cがロック解除されることはない。
【００８６】
キックオフ・ブロック54が活動位置にあるとき（図83〜84参照）、前述のようにドアを閉めると、駆動ブロックがピボット・リンク部254cに接触する。ボルト18がさらに回転すると、カム・ピボット・リンク254が反時計周りに、図86に示されている位置までピボット運動する。これによって、ロック・バー52が矢印140の方向に駆動され、それによって錠2cをロック状態からロック解除状態に変更する。
【００８７】
したがって、キックオフ・ブロック54を活動位置にすると、ドアを閉めたときにうっかりロックしてしまうことが防止される。キックオフ・ブロック54によってもたらされる利点は、このブロックが、錠の、他の目的に用いられる要素（すなわち、ロック・バーおよびカム・ピボット・リンク）に関連して動作し、それによって要素の数が少なくなり錠全体の製造・組立コストが安くなることである。
【００８８】
次に、ロック・バー52の動作について図87〜92を参照して詳しく説明する。図87および88を見ると最もよく分かるように、ロック・バー52は一対の上部くぼみ142を有している。第1および第2のハブ・ロック・スライダ46、48はそれぞれ、一方のロック・バー係合装置49、50を受け入れる長穴付きくぼみ143を有している。係合装置49、50は、それぞれ錠ハウジング12およびカバー14の開口部146を通して手を届かせることのできる長穴144を有している。係合装置49、50を、係合装置49、50の端部が一方の長穴142内に受け入れられる係合位置（図89および90参照）または係合装置49、50がくぼみ142に入らない係合解除位置（図91および92参照）に設定する場合に、スクリュ・ドライバなどの工具が開口部146に挿入される。係合装置49、50は、脚部49bおよび50bをハブ・ロック・スライダ46、48の2つの戻り止め長穴148（図90および92参照）の一方に係合することによって、係合位置または係合解除位置に保持される。ロック・バー52の他方の端部は、カム・ピボット・リンクの補長穴に係合する傾斜したタブ148を有している。
【００８９】
係合装置49、50はそれぞれ、以下に詳しく説明するように、錠ハウジング12および錠ハウジング・カバー14のそれぞれのL字形くぼみ149にそれぞれ受け入れられるプロチュバランス49a、50aも有している。
【００９０】
ピボット・カム・リンク254が上述のように反時計周りに駆動されると、（ピボット・カム・リンク254に連結された）ロック・バー52が矢印150の方向に押される。ロック・バー係合装置49および50のいずれかが係合位置に設定された場合（図89および90参照）、ロック・バー52をこのように移動させると、それに対応して、関連するハブ・ロッキング・スライダ46、48が移動する。この移動の間、係合装置のプロチュバランス49a、50aは一方のL字形くぼみ149のより長いアーム内を移動する。各スライダ46、48は、各ハブ32、34（図50および52参照）上のプロチュバランス154に対応するくぼみ152も有している。したがって、ロック・バー52および係合されたハブ・ロック・スライダ46、48を駆動すると、関連するくぼみ152もプロチュバランス154上を駆動され、ハブ32、34の回転およびドアのロックが防止される。錠操作者がドアをどちら側からロックできるようにするかまたは両側からロックできるようにするかを設定できるように係合装置49、50が互いに独立に設定可能であることに留意されたい。さらに、ハブ32、34が両回転方向に動作し、くぼみ152とプロチュバランス154が係合することによって、ハブ32、34も両方向に回転することができなくなるようにロックされることに留意されたい。
【００９１】
いずれかの係合装置49、50が係合解除位置に設定されると（図91および92参照）、前述の移動によって、ロック・バー52が静止しているハブ・ロック・スライダ46、48に対して方向150に移動する。したがって、くぼみ152はプロチュバランス154から離れたままであり、関連するハブ32、34の移動およびこの側からのドアのロック解除が可能になる。この位置では、係合装置のプロチュバランス49a、50aはそれぞれ、一方のL字形くぼみ149のより短いアームに入ったままである。
【００９２】
この係合装置構成の主要な利点は、係合装置がロック・バーと同じだけ移動し、したがって、いずれの位置でも、既知の彫込み錠と同様に、ロック・バーおよびそれに関連する要素の全長が長くなることがないことである。このため、錠要素に必要な空間が小さくなり、より小さな錠を製造するのが可能になる。さらに、係合装置49、50が係合解除位置に設定されると、スライダ46、48は移動せず、それによって、錠2cの可動部品の数が少なくなり、関連する摩擦が軽減される。
【００９３】
上述の錠の態様は、特定の要素についての本発明の多数の局面から生じる多数の特定の利点を有する。しかし、この錠はまた、一般に、要素が少なく簡素であるため従来技術の錠よりも有利である。
【００９４】
本発明を特定の実施例を参照して説明したが、当業者には、本発明を他の多数の形態で実施できることが理解されよう。さらに、多くの要素は、錠の一方の側に関してのみ説明が与えられており、当業者には、錠の他方の側の同じ要素が同様に動作することが理解されよう。
【図面の簡単な説明】
【００９５】
【図１】本発明の第1の態様による組み立てられた彫込み錠の背面部分斜視図である。
【図２】図1に示されている錠の、図１の向きの分解図である。
【図３】図1に示されている錠の正面部分斜視図である。
【図４】図1に示されている錠の、図3の向きの分解斜視図である。
【図５】図1の錠のボルト組立体の分解斜視図である。
【図６−７】ドアを閉める前および後の、図5に示されているボルト組立体の組立背面斜視図である。
【図８−９】図6に示されているボルト組立体の部分側面図および平面図である。
【図１０−１１】図7に示されているボルト組立体の部分側面図および平面図である。
【図１２】ドアを閉めた後の、図1に示されている錠および図5に示されているボルト組立体の部分斜視図である。
【図１３】図12に示されている要素の拡大斜視図である。
【図１４】ドアを閉める前の、図1に示されている錠および図5に示されているボルト組立体の部分斜視図である。
【図１５】図14に示されている要素の拡大詳細図である。
【図１６】23mmのバックセットを有する、図1に示されているボルト組立体の側面図である。
【図１７】60mmのバックセットを有する、図16に示されているボルト組立体の修正形態の図である。
【図１８−２０】ハブがそれぞれ第1、第2、および第3の位置にある、図1に示されている錠の側面図である。
【図２１−２２】ボルトが伸長された、図1に示されている錠のそれぞれ斜視図および側面図である。
【図２３−２４】ボルトが引き込まれた、図1に示されている錠のそれぞれ斜視図および側面図である。
【図２５−２６】伸長位置にあるボルトを示す、ボルト組立体およびボルト引込みアームの部分斜視図および側面図である。
【図２７−２８】引込みの開始時のボルトを示す、ボルト組立体およびボルト引込みアームのそれぞれ部分斜視図および側面図である。
【図２９−３２】様々な動作段階におけるボルト組立体およびキックオフ部材の部分側面図である。
【図３３−３６】様々な動作段階におけるボルト組立体キックオフ部材およびロック部材の部分側面図である。
【図３７】キックオフ部材が非活動位置に設定された、図１に示されている錠の側面図である。
【図３８】図37の拡大詳細図である。
【図３９】キックオフ部材が活動位置に設定された、図1に示されている錠の側面図である。
【図４０】図37の拡大詳細図である。
【図４１】図1に示されている錠のハブロック手段の拡大斜視図である。
【図４２】図41に示されている要素の部分組立拡大図である。
【図４３】係合手段が係合位置にある、図1に示されている錠の部分側面図である。
【図４４】図43の拡大詳細図である。
【図４５】係合手段が係合解除位置にある、図1に示されている錠の部分側面図である。
【図４６】図45の拡大詳細図である。
【図４７】図43に示されている錠の側面図である。
【図４８】図45に示されている錠の側面図である。
【図４９】本発明の第2の態様による組み立てられた彫込み錠の背面部分斜視図である。
【図５０】図49に示されている錠の、図49の向きの分解図である。
【図５１】図49に示されている錠の正面部分斜視図である。
【図５２】図51に示されている錠の、図51の向きの分解斜視図である。
【図５３】図49の錠のボルト組立体の分解斜視図である。
【図５４−５５】ドアを閉める前および後の、図53に示されているボルト組立体の組立背面斜視図である。
【図５６−５７】それぞれ図54および55に示されているボルト組立体の側面図である。
【図５８】ドアを閉めた後の、図49に示されている錠および図53に示されているボルト組立体の部分斜視図である。
【図５９】図58に示されている要素の拡大斜視図である。
【図６０】ドアを閉める前の、図49に示されている錠および図53に示されているボルト組立体の部分斜視図である。
【図６１】図60に示されている要素の拡大詳細図である。
【図６２】23mmのバックセットを有する、図49に示されている錠の側面図である。
【図６３】60mmのバックセットを有する、図62に示されている錠組立体の修正形態の図である。
【図６４−６６】ハブの動作を示す、図49に示されている錠の側面図である。
【図６７−６８】伸長位置のボルトを示す、ボルト組立体およびボルト引込みアームの部分斜視図および側面図である。
【図６９−７０】引込みの開始時のボルトを示す、ボルト組立体およびボルト引込みアームのそれぞれ部分斜視図および側面図である。
【図７１−７３】短いカムによるボルト引込みを示す、図49に示されている錠の側面図である。
【図７４−７７】媒体カムによるボルト引込み・ロック・バー動作を示す、図49に示されている錠の側面図である。
【図７８−８０】長いカムによるロック・バー動作を示す、図49に示されている錠の側面図である。
【図８１−８２】非活動キックオフを備える、図49に示されている錠のそれぞれ部分側面図および完全側面図である。
【図８３−８４】活動キックオフを備える、図49に示されている錠のそれぞれ部分側面図および完全側面図である。
【図８５−８６】それぞれ前キックオフ動作および後キックオフ動作を示す、図49に示されている錠の部分側面図である。
【図８７−８８】図49のハブ・ロック手段の分解斜視図および組立斜視図である。
【図８９】ロック・バーに係合され錠ハウジングから係合解除されたロック・バー係合装置を示す、図49に示されている錠の部分側面図である。
【図９０】図89の拡大詳細図である。
【図９１】ロック・バーから係合解除され錠ハウジングに係合されたロック・バー係合装置を示す、図49に示されている錠の部分側面図である。
【図９２】図91の拡大詳細図である。
【図１】
2004521214.tif 000003
【図２】
2004521214.tif 000004
【図３】
2004521214.tif 000005
【図４】
2004521214.tif 000006
【図５】
2004521214.tif 000007
【図６】
2004521214.tif 000008
【図７】
2004521214.tif 000009
【図８】
2004521214.tif 000010
【図９】
2004521214.tif 000011
【図１０】
2004521214.tif 000012
【図１１】
2004521214.tif 000013
【図１２】
2004521214.tif 000014
【図１３】
2004521214.tif 000015
【図１４】
2004521214.tif 000016
【図１５】
2004521214.tif 000017
【図１６】
2004521214.tif 000018
【図１７】
2004521214.tif 000019
【図１８】
2004521214.tif 000020
【図１９】
2004521214.tif 000021
【図２０】
2004521214.tif 000022
【図２１】
2004521214.tif 000023
【図２２】
2004521214.tif 000024
【図２３】
2004521214.tif 000025
【図２４】
2004521214.tif 000026
【図２５】
2004521214.tif 000027
【図２６】
2004521214.tif 000028
【図２７】
2004521214.tif 000029
【図２８】
2004521214.tif 000030
【図２９】
2004521214.tif 000031
【図３０】
2004521214.tif 000032
【図３１】
2004521214.tif 000033
【図３２】
2004521214.tif 000034
【図３３】
2004521214.tif 000035
【図３４】
2004521214.tif 000036
【図３５】
2004521214.tif 000037
【図３６】
2004521214.tif 000038
【図３７】
2004521214.tif 000039
【図３８】
2004521214.tif 000040
【図３９】
2004521214.tif 000041
【図４０】
2004521214.tif 000042
【図４１】
2004521214.tif 000043
【図４２】
2004521214.tif 000044
【図４３】
2004521214.tif 000045
【図４４】
2004521214.tif 000046
【図４５】
2004521214.tif 000047
【図４６】
2004521214.tif 000048
【図４７】
2004521214.tif 000049
【図４８】
2004521214.tif 000050
【図４９】
2004521214.tif 000051
【図５０】
2004521214.tif 000052
【図５１】
2004521214.tif 000053
【図５２】
2004521214.tif 000054
【図５３】
2004521214.tif 000055
【図５４】
2004521214.tif 000056
【図５５】
2004521214.tif 000057
【図５６】
2004521214.tif 000058
【図５７】
2004521214.tif 000059
【図５８】
2004521214.tif 000060
【図５９】
2004521214.tif 000061
【図６０】
2004521214.tif 000062
【図６１】
2004521214.tif 000063
【図６２】
2004521214.tif 000064
【図６３】
2004521214.tif 000065
【図６４】
2004521214.tif 000066
【図６５】
2004521214.tif 000067
【図６６】
2004521214.tif 000068
【図６７】
2004521214.tif 000069
【図６８】
2004521214.tif 000070
【図６９】
2004521214.tif 000071
【図７０】
2004521214.tif 000072
【図７１】
2004521214.tif 000073
【図７２】
2004521214.tif 000074
【図７３】
2004521214.tif 000075
【図７４】
2004521214.tif 000076
【図７５】
2004521214.tif 000077
【図７６】
2004521214.tif 000078
【図７７】
2004521214.tif 000079
【図７８】
2004521214.tif 000080
【図７９】
2004521214.tif 000081
【図８０】
2004521214.tif 000082
【図８１】
2004521214.tif 000083
【図８２】
2004521214.tif 000084
【図８３】
2004521214.tif 000085
【図８４】
2004521214.tif 000086
【図８５】
2004521214.tif 000087
【図８６】
2004521214.tif 000088
【図８７】
2004521214.tif 000089
【図８８】
2004521214.tif 000090
【図８９】
2004521214.tif 000091
【図９０】
2004521214.tif 000092
【図９１】
2004521214.tif 000093
【図９２】
2004521214.tif 000094
【国際公開パンフレット】
2004521214.tif 000095
2004521214.tif 000096
2004521214.tif 000097
2004521214.tif 000098
2004521214.tif 000099
2004521214.tif 000100
2004521214.tif 000101
2004521214.tif 000102
2004521214.tif 000103
2004521214.tif 000104
2004521214.tif 000105
2004521214.tif 000106
2004521214.tif 000107
2004521214.tif 000108
2004521214.tif 000109
2004521214.tif 000110
2004521214.tif 000111
2004521214.tif 000112
2004521214.tif 000113
2004521214.tif 000114
2004521214.tif 000115
2004521214.tif 000116
2004521214.tif 000117
2004521214.tif 000118
2004521214.tif 000119
2004521214.tif 000120
2004521214.tif 000121
2004521214.tif 000122
2004521214.tif 000123
2004521214.tif 000124
2004521214.tif 000125
2004521214.tif 000126
2004521214.tif 000127
2004521214.tif 000128
2004521214.tif 000129
2004521214.tif 000130
2004521214.tif 000131
2004521214.tif 000132
2004521214.tif 000133
2004521214.tif 000134
2004521214.tif 000135
2004521214.tif 000136
2004521214.tif 000137
2004521214.tif 000138
2004521214.tif 000139
2004521214.tif 000140
2004521214.tif 000141
2004521214.tif 000142
2004521214.tif 000143
2004521214.tif 000144
2004521214.tif 000145
2004521214.tif 000146
2004521214.tif 000147
2004521214.tif 000148
2004521214.tif 000149
2004521214.tif 000150
2004521214.tif 000151
2004521214.tif 000152
2004521214.tif 000153
2004521214.tif 000154
【国際調査報告】
2004521214.tif 000155
2004521214.tif 000156
2004521214.tif 000157
2004521214.tif 000158
2004521214.tif 000159